(57)【要約】【課題】円滑に用紙搬送パスを開放し、詰まった用紙を取り除くことができる画像形成装置を提供すること。【解決手段】  中間転写タイプの画像形成装置１において、ベルトユニット６は、ドラムユニット３が収容位置から引出位置に移動するときに、ドラムユニット３とともに、収容位置から引出位置に向けて移動可能に構成され、かつ、用紙搬送パスＰを規定する第１用紙ガイド１１を有する。そして、ドラムユニット３を収容位置から引出位置に移動するとともに、第１用紙ガイド１１を有するベルトユニット６を収容位置から引出位置に向けて移動させて、用紙搬送パスＰを開放する。【選択図】図１０
2018141921.tif 000002
【特許請求の範囲】
【請求項１】
開口を有する本体ケーシングと、
感光ドラムを支持するための支持部材であって、前記開口を介して、前記本体ケーシングに収容される第１収容位置と、前記本体ケーシングから引き出される第１引出位置と、の間を移動可能な支持部材と、
前記開口を介して、前記本体ケーシングに収容される第２収容位置と、前記本体ケーシングから引き出される第２引出位置と、の間を移動可能なベルトユニットであって、第１用紙ガイドと、前記感光ドラムを支持している前記支持部材が前記第１収容位置に位置し、かつ、前記ベルトユニットが前記第２収容位置に位置する状態で、前記感光ドラムと接触する転写ベルトと、を備えるベルトユニットであって、前記感光ドラムを支持している前記支持部材が前記第１収容位置に位置し、かつ、前記ベルトユニットが前記第２収容位置に位置する状態で、前記感光ドラムの下方に位置するベルトユニットであって、前記支持部材が前記第１収容位置から前記第１引出位置に移動するときに、前記支持部材とともに、前記第２収容位置から前記第２引出位置に向けて移動可能なベルトユニットと、
前記ベルトユニットが前記第２収容位置に位置する状態で、前記転写ベルトの外表面に接触する転写ローラと、
前記ベルトユニットが前記第２収容位置に位置する状態で、前記ベルトユニットの下方に位置し、前記第１用紙ガイドに面する第２用紙ガイドであって、前記ベルトユニットが前記第２収容位置に位置する状態で、前記第１用紙ガイドと前記第２用紙ガイドとの間において用紙搬送パスを規定する第２用紙ガイドであって、前記用紙搬送パスに沿って、用紙を前記転写ベルトと前記転写ローラとの間の位置に向けて搬送するための第２用紙ガイドと、を備えることを特徴とする、画像形成装置。
【請求項２】
前記支持部材が前記第１収容位置から前記第１引出位置に移動するときに、前記支持部材と前記ベルトユニットとを連結するコネクタを備えることを特徴とする、請求項１に記載の画像形成装置。
【請求項３】
前記コネクタは、前記支持部材に設けられるレバーであって、前記ベルトユニットと係合する係合位置と、前記ベルトユニットとの係合が解除される非係合位置と、の間を移動可能なレバーを含み、
前記レバーが前記係合位置に位置する状態で、前記ベルトユニットは前記支持部材とともに前記第２収容位置から前記第２引出位置に向けて移動することを特徴とする、請求項２に記載の画像形成装置。
【請求項４】
前記支持部材は、前記支持部材を前記第１収容位置から前記第１引出位置に移動させるための第１ハンドルを備え、
前記第１ハンドルは、前記レバーを前記係合位置から前記非係合位置へ移動させるように構成される第１グリップを備えることを特徴とする、請求項３に記載の画像形成装置。
【請求項５】
前記第１ハンドルは、前記第１グリップと、前記第１グリップに向かい合う第２グリップと、を備え、
前記第１グリップは、前記第２グリップに対して間隔を隔てた第１位置と、前記第１位置よりも前記第２グリップに近い第２位置と、の間を移動可能であり、
前記レバーは、前記第１グリップが前記第１位置から前記第２位置に移動するときに、前記係合位置から前記非係合位置に移動することを特徴とする、請求項４に記載の画像形成装置。
【請求項６】
前記支持部材は、前記第１グリップの前記第１位置から前記第２位置への移動に伴って移動するリンクを備え、
前記レバーは、前記リンクの移動に伴って、前記係合位置から前記非係合位置に移動することを特徴とする、請求項５に記載の画像形成装置。
【請求項７】
前記リンクの移動方向と、前記レバーの移動方向とは、互いに異なることを特徴とする、請求項６に記載の画像形成装置。
【請求項８】
前記リンクは、前記第１グリップの前記第１位置から前記第２位置への移動に伴って前記第１グリップとともに移動するカムを含み、
前記カムは、傾斜するカム面であって、前記レバーに接触可能なカム面を有することを特徴とする、請求項６または請求項７に記載の画像形成装置。
【請求項９】
前記支持部材は、前記レバーを前記非係合位置から前記係合位置に向けて付勢するバネを有することを特徴とする、請求項３から請求項８のいずれか一項に記載の画像形成装置。
【請求項１０】
前記支持部材は、前記感光ドラムである第１の感光ドラムと、第１方向において前記第１の感光ドラムと並ぶ第２の感光ドラムと、を支持するように構成され、
前記レバーは、第１のレバーであり、
前記支持部材は、前記第１方向において前記第１のレバーと離れて位置し、前記ベルトユニットと係合する係合位置と、前記ベルトユニットとの係合が解除される非係合位置と、の間を移動可能な第２のレバーと、前記感光ドラムの軸線方向において、前記ベルトユニットに対して、前記第１のレバーおよび前記第２のレバーの反対側に位置し、前記ベルトユニットと係合する係合位置と、前記ベルトユニットとの係合が解除される非係合位置と、の間を移動可能な第３のレバーと、を有することを特徴とする、請求項３から請求項９のいずれか一項に記載の画像形成装置。
【請求項１１】
前記支持部材は、第１サイドフレームと、前記感光ドラムの軸線方向において、前記感光ドラムに対して前記第１サイドフレームの反対側に位置する第２サイドフレームと、を有し、
前記第１サイドフレームは、前記第２サイドフレームに面する第１面と、前記第１面とは反対側に位置する第２面と、を有し、
前記レバーは、前記第２面に設けられることを特徴とする、請求項３から請求項１０のいずれか一項に記載の画像形成装置。
【請求項１２】
廃トナーボックスを有し、
前記支持部材は、前記感光ドラムからトナーを除去するためのクリーニングブレードと、前記クリーニングブレードによって除去されたトナーを前記廃トナーボックスに向けて搬送するためのトナー搬送管と、を有し、
前記トナー搬送管は、前記第１サイドフレームの前記第１面に設けられることを特徴とする、請求項１１に記載の画像形成装置。
【請求項１３】
前記支持部材は、前記支持部材を前記第１収容位置から前記第１引出位置に移動させるための第１ハンドルを備え、
前記ベルトユニットは、前記ベルトユニットを前記第２収容位置から前記第２引出位置に向けて移動させるための第２ハンドルを備え、
前記ベルトユニットは、前記第２ハンドルによって前記支持部材とともに移動可能であることを特徴とする、請求項１から請求項１２のいずれか一項に記載の画像形成装置。
【請求項１４】
前記本体ケーシングに設けられる廃トナーボックスを有し、
前記ベルトユニットは、前記転写ベルトを駆動するように構成される駆動ローラと、ベルトトナー搬送管と、を支持するメインフレームと、前記駆動ローラとともに前記転写ベルトを駆動するための従動ローラと、前記転写ベルトと接触し、前記転写ベルトからトナーを除去するためのベルトクリーニングブレードと、を支持するサブフレームであって、前記メインフレームに対して移動可能なサブフレームと、を有し、
前記ベルトトナー搬送管は、前記ベルトクリーニングブレードによって除去されたトナーを受け入れるように構成され、
前記支持部材は、前記感光ドラムからトナーを除去するためのクリーニングブレードと、前記クリーニングブレードによって除去されたトナーを前記ベルトトナー搬送管に向けて搬送するためのトナー搬送管と、を有し、
前記トナー搬送管は、第１トナー排出開口を有し、
前記ベルトトナー搬送管は、前記支持部材が前記第１収容位置に位置し、かつ、前記ベルトユニットが第２収容位置に位置する状態で、前記トナー搬送管の第１トナー排出開口と連通するトナー受入開口と、前記ベルトユニットが第２収容位置に位置する状態で、前記廃トナーボックスと連通する第２トナー排出開口と、を有することを特徴とする、請求項１に記載の画像形成装置。
【請求項１５】
前記支持部材は、前記第１トナー排出開口を開放する開位置と前記第１トナー排出開口を閉鎖する閉位置との間を移動可能なシャッタを有し、
前記ベルトユニットは、前記ベルトユニットが前記第２収容位置に位置する状態で前記支持部材が前記第１引出位置から前記第１収容位置に移動するときに、前記シャッタと接触し、前記シャッタを前記閉位置から前記開位置に移動させる接触面を有することを特徴とする、請求項１４に記載の画像形成装置。
【請求項１６】
前記ベルトユニットが、前記支持部材とともに、前記第２収容位置から前記第２引出位置に向けて移動するとき、前記接触面は、前記シャッタが前記開位置に位置するように前記シャッタとの接触を維持することを特徴とする、請求項１５に記載の画像形成装置。
【請求項１７】
廃トナーボックスを有し、
前記ベルトユニットは、前記転写ベルトを駆動するように構成される駆動ローラを支持するメインフレームと、第１方向において前記駆動ローラと離れて位置し、前記駆動ローラとともに前記転写ベルトを駆動するための従動ローラと、前記転写ベルトと接触し、前記転写ベルトからトナーを除去するためのベルトクリーニングブレードと、前記ベルトクリーニングブレードによって除去されたトナーを前記廃トナーボックスに向けて搬送するためのオーガスクリューと、を支持するサブフレームであって、前記メインフレームに対して前記第１方向において移動可能なサブフレームと、を有することを特徴とする、請求項１に記載の画像形成装置。
【請求項１８】
前記転写ローラは、前記ベルトユニットの下方に位置し、鉛直方向において前記転写ベルトに付勢されるとともに、前記第１方向において前記サブフレームとともに移動可能であることを特徴とする、請求項１７に記載の画像形成装置。
【請求項１９】
前記第１用紙ガイドは、前記用紙搬送パスに沿って、用紙を前記転写ベルトと前記転写ローラとの間に向けて搬送するための第１用紙搬送ローラを有することを特徴とする、請求項１から請求項１８のいずれか一項に記載の画像形成装置。
【請求項２０】
前記第２用紙ガイドは、前記用紙搬送パスに沿って、用紙を前記転写ベルトと前記転写ローラとの間に向けて搬送するための第２用紙搬送ローラを有することを特徴とする、請求項１から請求項１９のいずれか一項に記載の画像形成装置。
【発明の詳細な説明】
【技術分野】
【０００１】
本発明は、画像形成装置に関する。
【背景技術】
【０００２】
従来、中間転写タイプの画像形成装置であって、感光ドラムを支持する支持部材と、転写ベルトを備えるベルトユニットと、ベルトユニットの下方を通る用紙搬送パスとを備える画像形成装置が知られている。支持部材は、本体ケーシング内に収容される収容位置と、本体ケーシングから引き出された引出位置との間を移動可能である。支持部材は、収容位置に位置するときに、転写ベルトに接触するように、ベルトユニットの上方に位置する（下記特許文献１参照。）。
【先行技術文献】
【特許文献】
【０００３】
【特許文献１】特開２０１２−３２６１０号公報
【発明の概要】
【発明が解決しようとする課題】
【０００４】
しかし、上記した特許文献１に記載の画像形成装置では、用紙搬送パス内に用紙が詰まった場合、支持部材を本体ケーシングから取り外し、その後、ベルトユニットを本体ケーシングから取り外し、さらにその後、用紙搬送パスを開放して、詰まった用紙を取り除く必要があり、用紙搬送パス内に詰まった用紙を取り除く工程が煩雑である。
【０００５】
そこで、本開示の目的は、円滑に用紙搬送パスを開放し、詰まった用紙を取り除くことができる画像形成装置を提供することにある。
【課題を解決するための手段】
【０００６】
本発明の画像形成装置は、開口を有する本体ケーシングと、感光ドラムを支持するための支持部材と、ベルトユニットと、転写ローラと、第２用紙ガイドとを備える。
【０００７】
支持部材は、開口を介して、本体ケーシングに収容される第１収容位置と、本体ケーシングから引き出される第１引出位置との間を移動可能である。
【０００８】
ベルトユニットは、開口を介して、本体ケーシングに収容される第２収容位置と、本体ケーシングから引き出される第２引出位置との間を移動可能である。ベルトユニットは、第１用紙ガイドを有する。ベルトユニットは、感光ドラムを支持している支持部材が第１収容位置に位置し、かつ、ベルトユニットが第２収容位置に位置する状態で、感光ドラムと接触する転写ベルトを備える。ベルトユニットは、感光ドラムを支持している支持部材が第１収容位置に位置し、かつ、ベルトユニットが第２収容位置に位置する状態で、感光ドラムの下方に位置する。ベルトユニットは、支持部材が第１収容位置から第１引出位置に移動するときに、支持部材とともに、第２収容位置から第２引出位置に向けて移動可能である。
【０００９】
転写ローラは、ベルトユニットが第２収容位置に位置する状態で、転写ベルトの外表面に接触する。
【００１０】
第２用紙ガイドは、ベルトユニットが第２収容位置に位置する状態で、ベルトユニットの下方に位置し、第１用紙ガイドに面する。第２用紙ガイドは、ベルトユニットが第２収容位置に位置する状態で、第１用紙ガイドと第２用紙ガイドとの間において用紙搬送パスを規定する。第２用紙ガイドは、用紙搬送パスに沿って、用紙を転写ベルトと転写ローラとの間の位置に向けて搬送する。
【００１１】
このような構成によれば、支持部材を第１収容位置から第１引出位置へ移動させる動作で、支持部材とともに、第１用紙ガイドを有するベルトユニットを本体ケーシングから引き出すことができる。
【００１２】
そのため、用紙搬送パス内に用紙が詰まった場合に、支持部材を第１収容位置から第１引出位置へ移動させる引き出し動作で、円滑に用紙搬送パスを開放し、詰まった用紙を取り除くことができる。
【発明の効果】
【００１３】
本発明の画像形成装置によれば、円滑に用紙搬送パスを開放し、詰まった用紙を取り除くことができる。
【図面の簡単な説明】
【００１４】
【図１】図１は、画像形成装置の概略構成図である。
【図２】図２Ａは、互いに連結されたドラムユニットおよびベルトユニットの側面図である。図２Ｂは、シャッタの動作を説明するための説明図であって、シャッタが閉位置に位置する状態を示す。図２Ｃは、図２Ｂとともにシャッタの動作を説明するための説明図であって、シャッタが開位置に位置する状態を示す。
【図３】図３Ａは、図２ＡのＡ−Ａ断面図であって、レバーが係合位置に位置した状態を示す。図３Ｂは、図２ＡのＡ−Ａ断面図であって、レバーが非係合位置に位置した状態を示す。
【図４】図４Ａは、図２ＡのＢ−Ｂ断面図であって、第１グリップが第１位置に位置し、カムが押圧解除位置に位置した状態を示す。図４Ｂは、図２ＡのＢ−Ｂ断面図であって、第１グリップが第２位置に位置し、カムが押圧位置に位置した状態を示す。
【図５】図５は、図２Ａに示すベルトユニットの断面図であって、第１長穴および第２長穴を露出させるように、トナー排出部およびベルトトナー搬送管を切断した断面図である。
【図６】図６は、図２Ａに示すベルトユニットの断面図であって、第１トナー受入開口、第２トナー受入開口および第２トナー排出開口を通るように、トナー排出部およびベルトトナー搬送管を切断した断面図である。
【図７】図７は、図１のＣ−Ｃ断面図である。
【図８】図８は、転写ローラ支持部材を説明するための説明図である。
【図９】図９は、画像形成装置の動作を説明するための説明図であって、ベルトユニットを収容位置に位置した状態で、ドラムユニットを引出位置に移動させた状態を示す。
【図１０】図１０は、図９とともに画像形成装置の動作を説明するための説明図であって、ドラムユニットを引出位置に移動させるとともに、ベルトユニットを引出位置に移動させた状態を示す。
【図１１】図１１は、画像形成装置をさらに詳細に説明するための説明図であって、第２給紙トレイが開位置に位置し、第２排紙トレイが開位置に位置した状態を示す。
【図１２】図１２は、画像形成装置の変形例を説明するための説明図である。
【発明を実施するための形態】
【００１５】
１．画像形成装置の概略
図１を参照して、画像形成装置１の概略について説明する。
【００１６】
画像形成装置１は、中間転写タイプのカラープリンタである。画像形成装置１は、本体ケーシング２と、支持部材の一例としてのドラムユニット３と、複数の現像カートリッジ４Ｋ、４Ｙ、４Ｍ、４Ｃと、レーザースキャンユニット５と、ベルトユニット６と、転写ローラ７と、定着器８と、給紙トレイ９と、第２用紙ガイド１０と、廃トナーボックス２５（図７参照）とを備える。
【００１７】
１．１  本体ケーシング
本体ケーシング２は、画像形成装置１の外装を構成する。本体ケーシング２は、開口２Ａを有する。また、本体ケーシング２は、フロントカバー２Ｂを備える。開口２Ａは、ドラムユニット３およびベルトユニット６の通過を許容する。フロントカバー２Ｂは、開口２Ａを開放する開位置（図９参照）と、開口２Ａを閉鎖する閉位置（図１参照）との間を回動可能である。
【００１８】
１．２  ドラムユニット
ドラムユニット３は、開口２Ａを介して、本体ケーシング２に収容される収容位置（図１参照）と、本体ケーシング２から引き出される引出位置（図９参照）との間を移動可能である。このときのドラムユニット３の収容位置が、第１収容位置である。また、このときのドラムユニット３の引出位置が、第１引出位置である。ドラムユニット３は、第１方向において、収容位置と引出位置との間を移動可能である。ドラムユニット３は、複数の感光ドラム１３Ｋ、１３Ｙ、１３Ｍ、１３Ｃと、複数の帯電ローラ１４Ｋ、１４Ｙ、１４Ｍ、１４Ｃと、複数のドラムクリーナー１５Ｋ、１５Ｙ、１５Ｍ、１５Ｃとを備える。複数の感光ドラム１３Ｋ、１３Ｙ、１３Ｍ、１３Ｃは、第１方向において、互いに間隔を隔てて並ぶ。ドラムユニット３は、後述する、第１サイドフレーム３１と第２サイドフレーム３２とを有し、第１サイドフレーム３１と第２サイドフレーム３２とが、複数の感光ドラム１３Ｋ、１３Ｙ、１３Ｍ、１３Ｃを回転可能に支持する。すなわち、ドラムユニット３は、第１の感光ドラム１３Ｋと、第１方向において第１の感光ドラム１３Ｋと並ぶ第２の感光ドラム１３Ｙとを支持する。
【００１９】
なお、複数の感光ドラム１３Ｋ、１３Ｙ、１３Ｍ、１３Ｃは、それぞれ同じ構造を有し、複数の帯電ローラ１４Ｋ、１４Ｙ、１４Ｍ、１４Ｃは、それぞれ同じ構造を有し、複数のドラムクリーナー１５Ｋ、１５Ｙ、１５Ｍ、１５Ｃは、それぞれ同じ構造を有する。そのため、以下の説明において、感光ドラム１３Ｋ、帯電ローラ１４Ｋおよびドラムクリーナー１５Ｋについて説明し、感光ドラム１３Ｙ、１３Ｍ、１３Ｃ、帯電ローラ１４Ｙ、１４Ｍ、１４Ｃ、および、ドラムクリーナー１５Ｙ、１５Ｍ、１５Ｃについては、説明を省略する。
【００２０】
感光ドラム１３Ｋは、軸線方向に延びる回転軸線について回転可能である。軸線方向は、第１方向と交差する。好ましくは、軸線方向は、第１方向と直交する。感光ドラム１３Ｋは、軸線方向に延びる。感光ドラム１３Ｋは、円筒形状を有する。
【００２１】
帯電ローラ１４Ｋは、感光ドラム１３Ｋの周面を帯電するように構成される。帯電ローラ１４Ｋは、感光ドラム１３Ｋの周面に接触する。
【００２２】
ドラムクリーナー１５Ｋは、クリーニングブレード２６と、オーガスクリュー２７とを備える。
【００２３】
クリーニングブレード２６は、感光ドラム１３Ｋからトナーを除去するように構成される。クリーニングブレード２６は、感光ドラム１３Ｋの周面に接触する。クリーニングブレード２６によって感光ドラム１３Ｋから除去されたトナーは、ドラムクリーナー１５Ｋの内部に溜まる。
【００２４】
オーガスクリュー２７は、クリーニングブレード２６によって感光ドラム１３Ｋから除去されたトナーを、後述するトナー搬送管５０（図３Ａ参照）に向かって搬送するように構成される。オーガスクリュー２７は、ドラムクリーナー１５Ｋの内部に位置する。オーガスクリュー２７は、軸線方向に延びる。
【００２５】
１．３  現像カートリッジ
複数の現像カートリッジ４Ｋ、４Ｙ、４Ｍ、４Ｃは、それぞれ同じ構造を有する。そのため、以下の説明において、現像カートリッジ４Ｋについて説明し、現像カートリッジ４Ｙ、４Ｍ、４Ｃについては、説明を省略する。
【００２６】
現像カートリッジ４Ｋは、ドラムユニット３に対して着脱可能である。現像カートリッジ４Ｋは、感光ドラム１３Ｋの周面にトナーを供給するように構成される。詳しくは、現像カートリッジ４Ｋは、トナーを収容可能である。現像カートリッジ４Ｋは、現像ローラ１６Ｋを備える。現像ローラ１６Ｋは、現像カートリッジ４Ｋ内のトナーを、感光ドラム１３Ｋの周面に供給するように構成される。現像ローラ１６Ｋは、現像カートリッジ４Ｋがドラムユニット３に装着されたときに、感光ドラム１３Ｋの周面に接触する。
【００２７】
１．４  レーザースキャンユニット
レーザースキャンユニット５は、複数の感光ドラム１３Ｋ、１３Ｙ、１３Ｍ、１３Ｃを露光するように構成される。感光ドラム１３Ｋについて説明すると、レーザースキャンユニット５は、帯電ローラ１４Ｋによって帯電された感光ドラム１３Ｋの周面を露光する。これにより、感光ドラム１３Ｋの周面に、静電潜像が、形成される。その後、現像カートリッジ４Ｋによって静電潜像にトナーが供給されることにより、感光ドラム１３Ｋの周面に、トナー像が、形成される。
【００２８】
１．５  ベルトユニット
ベルトユニット６は、複数の感光ドラム１３Ｋ、１３Ｙ、１３Ｍ、１３Ｃのそれぞれの周面のトナー像を、後述する転写ベルト１８に転写するように構成される。ベルトユニット６は、開口２Ａを介して、本体ケーシング２に収容される収容位置（図１参照）と、本体ケーシング２から引き出される引出位置（図１０参照）との間を移動可能である。このときのベルトユニット６の収容位置が、第２収容位置である。また、このときのベルトユニット６の引出位置が、第２引出位置である。ベルトユニット６は、ドラムユニット３が収容位置に位置し、かつ、ベルトユニット６が収容位置に位置する状態で、複数の感光ドラム１３Ｋ、１３Ｙ、１３Ｍ、１３Ｃの下方に位置する。ベルトユニット６は、駆動ローラ１９と、従動ローラ２０と、転写ベルト１８と、複数の一次転写ローラ２１Ｋ、２１Ｙ、２１Ｍ、２１Ｃと、ベルトクリーナー２２と、第１用紙ガイド１１とを備える。
【００２９】
駆動ローラ１９は、転写ベルト１８を駆動するように構成される。詳しくは、駆動ローラ１９は、転写ベルト１８を周回させるように構成される。駆動ローラ１９は、軸線方向に延びる回転軸線について回転可能である。
【００３０】
従動ローラ２０は、駆動ローラ１９とともに転写ベルト１８を駆動するように構成される。詳しくは、従動ローラ２０は、駆動ローラ１９とともに転写ベルト１８を周回させるように構成される。従動ローラ２０は、第１方向において、駆動ローラ１９に対して間隔を隔てて位置する。従動ローラ２０は、軸線方向に延びる回転軸線について回転可能である。従動ローラ２０は、駆動ローラ１９によって周回する転写ベルト１８に従い回転する。
【００３１】
転写ベルト１８は、ドラムユニット３が収容位置に位置し、かつ、ベルトユニット６が収容位置に位置する状態で、複数の感光ドラム１３Ｋ、１３Ｙ、１３Ｍ、１３Ｃと接触する。転写ベルト１８は、無端状のベルトである。転写ベルト１８は、駆動ローラ１９および従動ローラ２０に掛けられる。詳しくは、転写ベルト１８は、駆動ローラ１９および従動ローラ２０に掛けられた状態で、第１方向に延びる。転写ベルト１８は、駆動ローラ１９および従動ローラ２０の周りを周回する。
【００３２】
複数の一次転写ローラ２１Ｋ、２１Ｙ、２１Ｍ、２１Ｃは、第１方向において、駆動ローラ１９と従動ローラ２０との間に位置する。複数の一次転写ローラ２１Ｋ、２１Ｙ、２１Ｍ、２１Ｃは、第１方向において、互いに間隔を隔てて並ぶ。複数の一次転写ローラ２１Ｋ、２１Ｙ、２１Ｍ、２１Ｃは、それぞれ同じ構造を有する。そのため、以下の説明において、一次転写ローラ２１Ｋについて説明し、一次転写ローラ２１Ｙ、２１Ｍ、２１Ｃについては、説明を省略する。一次転写ローラ２１Ｋは、感光ドラム１３Ｋの表面に形成されたトナー像を転写ベルト１８に転写するように構成される。一次転写ローラ２１Ｋは、ベルトユニット６が収容位置に位置し、かつ、ドラムユニット３が収容位置に位置した状態で、感光ドラム１３Ｋとの間に転写ベルト１８を挟む。
【００３３】
ベルトクリーナー２２は、ベルトクリーニングブレード２８と、オーガスクリュー２９とを備える。
【００３４】
ベルトクリーニングブレード２８は、転写ベルト１８からトナーを除去するように構成される。ベルトクリーニングブレード２８は、転写ベルト１８と接触する。ベルトクリーニングブレード２８によって転写ベルト１８から除去されたトナーは、ベルトクリーナー２２の内部に溜まる。
【００３５】
オーガスクリュー２９は、ベルトクリーニングブレード２８によって除去されたトナーを廃トナーボックス２５に向けて搬送する。詳しくは、オーガスクリュー２９は、ベルトクリーニングブレード２８によって転写ベルト１８から除去されたトナーを、後述するベルトトナー搬送管６４（図６参照）に向かって搬送するように構成される。オーガスクリュー２９は、ベルトクリーナー２２の内部に位置する。オーガスクリュー２９は、軸線方向に延びる。
【００３６】
第１用紙ガイド１１は、上下方向において、転写ベルト１８と第２用紙ガイド１０との間に位置する。第１用紙ガイド１１は、後で詳しく説明するが、ベルトユニット６の下端部に設けられ、ベルトユニット６が収容位置と引出位置との間を移動するときに、転写ベルト１８とともに移動可能である。第１用紙ガイド１１は、ベルトユニット６が収容位置に位置する状態で、第２用紙ガイド１０の上方に位置し、第２用紙ガイド１０に面する。第１用紙ガイド１１は、ベルトユニット６が収容位置に位置する状態で、第２用紙ガイド１０と第１用紙ガイド１１との間において用紙搬送パスＰを規定する。第１用紙ガイド１１は、複数の用紙搬送ローラ２４を備える。用紙搬送ローラ２４は、第１用紙搬送ローラの一例である。
【００３７】
複数の用紙搬送ローラ２４は、第１方向において、互いに間隔を隔てて並ぶ。複数の用紙搬送ローラ２４は、後述する複数の用紙搬送ローラ２３とともに、用紙搬送パスＰに沿って、用紙を転写ベルト１８と転写ローラ７との間の位置に向けて搬送するように構成される。すなわち、第１用紙ガイド１１は、用紙搬送パスＰに沿って、用紙を転写ベルト１８と転写ローラ７との間の位置に向けて搬送するように構成される。
【００３８】
１．６  転写ローラ
転写ローラ７は、二次転写ローラであって、転写ベルト１８に転写されたトナー像を用紙に転写するように構成される。転写ローラ７は、ベルトユニット６が収容位置に位置する状態で、転写ベルト１８の外表面に接触する。詳しくは、転写ローラ７は、従動ローラ２０との間に、転写ベルト１８を挟む。転写ローラ７は、ベルトユニット６が収容位置に位置した状態で、ベルトユニット６の下方に位置する。詳しくは、転写ローラ７は、ベルトユニット６が収容位置に位置した状態で、従動ローラ２０の下方に位置する。
【００３９】
１．７  定着器
定着器８は、トナー像が転写された用紙を加熱および加圧することにより、用紙にトナー像を定着させるように構成される。定着器８は、第１方向において、従動ローラ２０に対して、駆動ローラ１９の反対側に位置する。定着器８は、第１方向において、転写ローラ７と間隔を隔てる。
【００４０】
１．８  給紙トレイ
給紙トレイ９は、用紙を収容可能である。詳しくは、給紙トレイ９は、用紙を収容するための収容部９Ａを備える。給紙トレイ９は、第１方向において、本体ケーシング２に対して移動可能である。給紙トレイ９は、収容部９Ａが本体ケーシング２の外側に位置する外側位置と、収容部９Ａが本体ケーシング２の内側に位置する内側位置との間を移動可能である。これにより、ユーザは、給紙トレイ９を外側位置に移動させた後、収容部９Ａに用紙を補給することができる。給紙トレイ９は、内側位置に位置するときに、収容位置に位置するベルトユニット６の下方に位置する。
【００４１】
１．９  第２用紙ガイド
第２用紙ガイド１０は、ベルトユニット６が収容位置に位置する状態で、ベルトユニット６の下方に位置する。第２用紙ガイド１０は、ベルトユニット６が収容位置に位置する状態で、上下方向において、ベルトユニット６と給紙トレイ９との間に位置する。第２用紙ガイド１０は、ベルトユニット６が収容位置に位置する状態で、第１用紙ガイド１１の下方に位置し、第１用紙ガイド１１に面する。第２用紙ガイド１０は、ベルトユニット６が収容位置に位置する状態で、第１用紙ガイド１１と第２用紙ガイド１０との間において用紙搬送パスＰを規定する。第２用紙ガイド１０は、複数の用紙搬送ローラ２３を備える。用紙搬送ローラ２３は、第２用紙搬送ローラの一例である。
【００４２】
複数の用紙搬送ローラ２３は、第１方向において、互いに間隔を隔てて並ぶ。複数の用紙搬送ローラ２３は、複数の用紙搬送ローラ２４とともに、用紙搬送パスＰに沿って、用紙を転写ベルト１８と転写ローラ７との間の位置に向けて搬送するように構成される。すなわち、第２用紙ガイド１０は、用紙搬送パスＰに沿って、用紙を転写ベルト１８と転写ローラ７との間の位置に向けて搬送するように構成される。
【００４３】
給紙トレイ９内の用紙は、第１用紙ガイド１１および第２用紙ガイド１０によって案内されることにより、所定のタイミングで、転写ベルト１８と転写ローラ７との間に供給される。すると、用紙には、トナー像が転写される。トナー像が転写された用紙は、定着器８を通過する。このとき、トナー像は、用紙に定着する。その後、定着器８を通過した用紙は、後述する第２排紙トレイ１０３が閉位置に位置するときに、本体ケーシング２内に設けられる排紙ガイド３０によって上方へ案内され、本体ケーシング２の上面に設けられる排紙トレイ２Ｄに排紙される。
【００４４】
１．７  廃トナーボックス
廃トナーボックス２５は、図７に示すように、本体ケーシング２に設けられる。廃トナーボックス２５には、複数のドラムクリーナー１５Ｋ、１５Ｙ、１５Ｍ、１５Ｃによって除去されたトナー、および、ベルトクリーナー２２によって除去されたトナーが収容される。
【００４５】
２．画像形成装置の詳細
本発明の画像形成装置１では、図１０に示すように、ベルトユニット６は、ドラムユニット３が収容位置から引出位置に移動するときに、ドラムユニット３とともに、収容位置から引出位置に向けて移動可能である。詳しくは、本発明の画像形成装置１は、図２Ａおよび図３Ａに示すように、ドラムユニット３とベルトユニット６とを連結するように構成されるコネクタの一例としての複数のレバー３３Ａおよび複数のレバー３３Ｂを備える。ベルトユニット６は、ドラムユニット３が収容位置から引出位置に移動するときに、複数のレバー３３Ａおよび複数のレバー３３Ｂによってドラムユニット３と連結された状態で、収容位置から引出位置に向けて移動可能である。これにより、ドラムユニット３とともに、第１用紙ガイド１１を有するベルトユニット６を、１回の動作で本体ケーシング２から引き出すことができる。そのため、用紙搬送パスＰを容易に開放することができる。
【００４６】
以下、ドラムユニット３およびベルトユニット６の詳細について説明する。
【００４７】
２．１  ドラムユニットの詳細
図２Ａから図４Ｂを参照して、ドラムユニット３の詳細について説明する。
【００４８】
上記した複数のレバー３３Ａおよび複数のレバー３３Ｂは、それぞれ、ベルトユニット６と係合する係合位置（図３Ａ参照）と、ベルトユニット６との係合が解除される非係合位置（図３Ｂ参照）との間を移動可能である。ドラムユニット３は、複数のレバー３３Ａを移動させるためのリンクの一例としてのカム３４Ａ、複数のレバー３３Ｂを移動させるためのリンクの一例としてのカム３４Ｂ、および、カム３４Ａおよびカム３４Ｂに連結された第１ハンドル３６を備える。ドラムユニット３は、ユーザーが第１ハンドル３６を操作することにより、複数のレバー３３Ａおよび複数のレバー３３Ｂが係合位置と非係合位置との間を移動するように、構成されている。
【００４９】
詳しくは、ドラムユニット３は、図２Ａおよび図３Ａに示すように、第１サイドフレーム３１と、第２サイドフレーム３２と、複数のレバー３３Ａと、複数のレバー３３Ｂと、複数のバネ３５と、カム３４Ａと、カム３４Ｂと、第１ハンドル３６と、トナー搬送管５０と、シャッタ４９とを備える。
【００５０】
第１サイドフレーム３１は、第１方向に延びる。第１サイドフレーム３１は、平板形状を有する。第１サイドフレーム３１は、第２サイドフレーム３２に面する第１面３１Ａと、第１面３１Ａとは反対側に位置する第２面３１Ｂとを有する。
【００５１】
第２サイドフレーム３２は、軸線方向において、複数の感光ドラム１３Ｋ、１３Ｙ、１３Ｍ、１３Ｃに対して第１サイドフレーム３１の反対側に位置する。第２サイドフレーム３２は、第１方向に延びる。第２サイドフレーム３２は、平板形状を有する。第２サイドフレーム３２は、第１サイドフレーム３１に面する第１面３２Ａと、第１面３２Ａとは反対側に位置する第２面３２Ｂとを有する。
【００５２】
２．１．１  レバー
複数のレバー３３Ａ、３３Ｂは、ドラムユニット３がベルトユニット６の上方に位置し、転写ベルト１８が複数の感光ドラム１３Ｋ、１３Ｙ、１３Ｍ、１３Ｃに接触した状態で、ドラムユニット３とベルトユニット６とを連結するように構成される。複数のレバー３３Ａは、第１サイドフレーム３１の第２面３１Ｂに設けられる。複数のレバー３３Ａは、第１方向において、互いに間隔を隔てて並ぶ。すなわち、ドラムユニット３は、第１のレバー３３Ａと、第１方向において第１のレバー３３Ａと離れて位置する第２のレバー３３Ａとを備える。複数のレバー３３Ｂは、第２サイドフレーム３２の第２面３２Ｂに設けられる。複数のレバー３３Ｂは、軸線方向において、ベルトユニット６に対して、複数のレバー３３Ａの反対側に位置する。すなわち、ドラムユニット３は、軸線方向において、ベルトユニット６に対して、第１のレバー３３Ａおよび第２のレバー３３Ａの反対側に位置する第３のレバー３３Ｂを備える。複数のレバー３３Ｂは、第１方向において、互いに間隔を隔てて並ぶ。複数のレバー３３Ａ、３３Ｂは、それぞれ同じ構造を有する。そのため、以下の説明において、１つのレバー３３Ａについて説明し、その他のレバー３３Ａ、３３Ｂについては、説明を省略する。
【００５３】
レバー３３Ａは、係合位置と非係合位置との間を回動可能である。レバー３３Ａは、上下方向に延びる。レバー３３Ａは、上端部Ｅ１と、下端部Ｅ２とを有する。下端部Ｅ２は、第１サイドフレーム３１よりも下方に位置する。また、レバー３３Ａは、回動軸３７と突起３８とを備える。
【００５４】
回動軸３７は、上下方向において、上端部Ｅ１と下端部Ｅ２との間に位置する。回動軸３７は、第１方向に延びる。回動軸３７は、第１サイドフレーム３１に回動可能に取り付けられている。これにより、レバー３３Ａは、回動軸３７について回動可能である。
【００５５】
突起３８は、レバー３３Ａが係合位置に位置するときに、後述するベルトユニット６の凹部７２に嵌まる。突起３８が凹部７２に嵌まることにより、レバー３３Ａは、ベルトユニット６と係合する。突起３８は、レバー３３Ａの下端部Ｅ２から突出する。突起３８は、軸線方向に延びる。
【００５６】
また、レバー３３Ａは、バネ３５によって、非係合位置から係合位置に向けて付勢されている。バネ３５は、軸線方向において、レバー３３Ａの上端部Ｅ１と第１サイドフレーム３１との間に位置する。バネ３５は、軸線方向に延びる圧縮バネである。軸線方向におけるバネ３５の一端は、第１サイドフレーム３１に接触し、軸線方向におけるバネ３５の他端は、レバー３３Ａの上端部Ｅ１に接触する。バネ３５は、レバー３３Ａが非係合位置に位置するときに、レバー３３Ａが係合位置に位置するときよりも圧縮される。これにより、バネ３５は、レバー３３Ａを非係合位置から係合位置に向けて付勢する。
【００５７】
２．１．２  カム
カム３４Ａは、図３Ａおよび図３Ｂに示すように、複数のレバー３３Ａを係合位置から非係合位置に移動させるように構成される。詳しくは、カム３４Ａは、上端部Ｅ１が第１サイドフレーム３１に近づくように複数のレバー３３Ａを押圧することにより、複数のレバー３３Ａを係合位置から非係合位置に移動させるように構成される。具体的には、カム３４Ａは、上端部Ｅ１と回動軸３７との間において、複数のレバー３３Ａを押圧する。カム３４Ａは、図４Ａに示すように、軸線方向において、第１サイドフレーム３１に対して、複数のレバー３３Ａの反対側に位置する。カム３４Ａは、第１方向に延びる。カム３４Ａは、第１方向において、複数のレバー３３Ａを押圧する押圧位置（図４Ｂ参照）と、複数のレバー３３Ａに対する押圧を解除する押圧解除位置（図４Ａ参照）との間を移動可能である。すなわち、カム３４Ａの移動方向と、複数のレバー３３Ａの移動方向とは、互いに異なる。カム３４Ａは、複数のカム面４０Ａを有する。
【００５８】
複数のカム面４０Ａは、複数のレバー３３Ａと同じ数、設けられている。複数のカム面４０Ａは、第１方向において、互いに間隔を隔てて並ぶ。１つのカム面４０Ａは、１つのレバー３３Ａに接触可能である。複数のカム面４０Ａは、それぞれ同じ構造を有する。そのため、以下の説明において、１つのカム面４０Ａについて説明し、その他のカム面４０Ａについては、説明を省略する。カム面４０Ａは、カム３４Ａが押圧解除位置から押圧位置へ移動するときに、レバー３３Ａに接触する。カム面４０Ａは、カム３４Ａが押圧解除位置から押圧位置へ移動するときの移動方向において、下流側から上流側に向かうにつれて、第１サイドフレーム３１に近づく方向に傾斜する。これにより、カム３４Ａは、押圧解除位置から押圧位置へ移動するときに、カム面４０Ａにより、複数のレバー３３Ａを第１サイドフレーム３１に向かって押圧する。
【００５９】
カム３４Ｂは、図３Ａおよび図３Ｂに示すように、複数のレバー３３Ｂを係合位置から非係合位置に移動させるように構成される。詳しくは、カム３４Ｂは、上端部Ｅ１が第２サイドフレーム３２に近づくように複数のレバー３３Ｂを押圧することにより、複数のレバー３３Ｂを係合位置から非係合位置に移動させるように構成される。具体的には、カム３４Ｂは、上端部Ｅ１と回動軸３７との間において、複数のレバー３３Ｂを押圧する。カム３４Ｂは、図４Ａに示すように、軸線方向において、第２サイドフレーム３２に対して、複数のレバー３３Ｂの反対側に位置する。カム３４Ｂは、第１方向に延びる。カム３４Ｂは、第１方向において、複数のレバー３３Ｂを押圧する押圧位置（図４Ｂ参照）と、複数のレバー３３Ｂに対する押圧を解除する押圧解除位置（図４Ａ参照）との間を移動可能である。カム３４Ｂは、複数のカム面４０Ｂを有する。
【００６０】
複数のカム面４０Ｂは、複数のレバー３３Ｂと同じ数、設けられている。複数のカム面４０Ｂは、第１方向において、互いに間隔を隔てて並ぶ。１つのカム面４０Ｂは、１つのレバー３３Ｂに接触可能である。複数のカム面４０Ｂは、それぞれ同じ構造を有する。そのため、以下の説明において、１つのカム面４０Ｂについて説明し、その他のカム面４０Ｂについては、説明を省略する。カム面４０Ｂは、カム３４Ｂが押圧解除位置から押圧位置へ移動するときに、レバー３３Ｂに接触する。カム面４０Ｂは、カム３４Ｂが押圧解除位置から押圧位置へ移動するときの移動方向において、下流側から上流側に向かうにつれて、第２サイドフレーム３２に近づく方向に傾斜する。これにより、カム３４Ｂは、押圧解除位置から押圧位置へ移動するときに、カム面４０Ｂにより、複数のレバー３３Ｂを第２サイドフレーム３２に向かって押圧する。
【００６１】
２．１．３  第１ハンドル
第１ハンドル３６は、図９に示すように、ドラムユニット３を収容位置から引出位置に移動させるためのハンドルである。詳しくは、第１ハンドル３６は、ドラムユニット３が収容位置に位置し、ベルトユニット６が収容位置に位置した状態で、ベルトユニット６を収容位置から移動させないで、ドラムユニット３を収容位置から引出位置に移動させるためのハンドルである。ドラムユニット３は、図２Ａに示すように、ドラムユニット３の引出方向、すなわち、ドラムユニット３が収容位置から引出位置へ向かう方向において、上流側に位置する一端部３Ａと、下流側に位置する他端部３Ｂとを有する。第１ハンドル３６は、他端部３Ｂに位置する。第１ハンドル３６は、フロントカバー２Ｂが開位置に位置したときに、開口２Ａから露出する。第１ハンドル３６は、第１グリップ４１と、第２グリップ４２と、バネ４３とを備える。
【００６２】
第１グリップ４１は、複数のレバー３３Ａ、３３Ｂを係合位置から非係合位置へ移動させるように構成される。詳しくは、図４Ａに示すように、第１グリップ４１は、カム３４Ａおよびカム３４Ｂの両方に接続する。より詳しくは、第１グリップ４１は、軸線方向に延びる。第１グリップ４１は、軸線方向において、一端部と、一端部から離れて位置する他端部とを有する。第１グリップ４１の一端部は、カム３４Ａに接続する。第１グリップ４１の他端部は、カム３４Ｂに接続する。これにより、カム３４Ａおよびカム３４Ｂは、第１グリップ４１とともに移動可能である。そして、第１グリップ４１は、第２グリップ４２に対して間隔を隔てた第１位置（図４Ａ参照）と、第１位置よりも第２グリップ４２に近い第２位置（図４Ｂ参照）との間を移動可能である。第１グリップ４１が第１位置に位置するとき、カム３４Ａおよびカム３４Ｂは、押圧解除位置に位置し、複数のレバー３３Ａ、３３Ｂは、係合位置に位置する。また、第１グリップ４１が第２位置に位置するとき、カム３４Ａおよびカム３４Ｂは、押圧位置に位置し、複数のレバー３３Ａ、３３Ｂは、係合解除位置に位置する。つまり、カム３４Ａ、３４Ｂは、第１グリップ４１の第１位置から第２位置への移動に伴って、第１グリップ４１とともに移動する。また、複数のレバー３３Ａは、カム３４Ａの移動に伴って、係合位置から非係合位置に移動し、複数のレバー３３Ｂは、カム３４Ｂの移動に伴って、係合位置から非係合位置に移動する。これにより、複数のレバー３３Ａ、３３Ｂは、第１グリップ４１が第１位置から第２位置に移動するときに、係合位置から非係合位置に移動する。
【００６３】
第２グリップ４２は、第１方向において、第１グリップ４１に向かい合う。第２グリップ４２は、ドラムユニット３の他端部３Ｂに固定されている。
【００６４】
バネ４３は、第１グリップ４１と第２グリップ４２との間に位置する。バネ４３は、第１グリップ４１を、第２位置から第１位置へ向かって押圧する。
【００６５】
２．１．４  トナー搬送管
図２Ａおよび図３Ａに示すように、トナー搬送管５０は、クリーニングブレード２６によって除去されたトナーを廃トナーボックス２５に向けて搬送するように構成される。詳しくは、トナー搬送管５０は、クリーニングブレード２６によって除去されたトナーをベルトトナー搬送管６４に向けて搬送する。トナー搬送管５０は、第１方向に延びる。トナー搬送管５０は、トナーを搬送するためのスクリュー５０Ｂを内部に有する。トナー搬送管５０は、複数のドラムクリーナー１５Ｋ、１５Ｙ、１５Ｍ、１５Ｃに接続される。トナー搬送管５０は、ドラムユニット３の引出方向において、上流側に位置する一端部Ｅ１１と、下流側の位置する他端部Ｅ１２とを有する。また、トナー搬送管５０は、第１トナー排出開口５０Ａを有する。第１トナー排出開口５０Ａは、トナー搬送管５０の一端部Ｅ１１に位置する。第１トナー排出開口５０Ａは、トナー搬送管５０によって搬送されたトナーを排出する。
【００６６】
また、図３Ａに示すように、トナー搬送管５０は、第１サイドフレーム３１の第１面３１Ａに設けられる。トナー搬送管５０は、ドラムユニット３がベルトユニット６の上方に位置し、転写ベルト１８が複数の感光ドラム１３Ｋ、１３Ｙ、１３Ｍ、１３Ｃに接触した状態で、軸線方向において、複数のレバー３３Ａと、ベルトユニット６の第１壁６５との間に位置する。これにより、トナー搬送管５０が複数のレバー３３Ａの移動を妨げることを防止できる。
【００６７】
２．１．５  シャッタ
図２Ｂおよび図２Ｃに示すように、シャッタ４９は、第１トナー排出開口５０Ａを開放する開位置（図２Ｃ参照）と、第１トナー排出開口５０Ａを閉鎖する閉位置（図２Ｂ参照）との間を移動可能である。詳しくは、シャッタ４９は、開位置と閉位置との間を回動可能である。また、シャッタ４９は、ドラムユニット３がベルトユニット６の上方に位置し、転写ベルト１８が複数の感光ドラム１３Ｋ、１３Ｙ、１３Ｍ、１３Ｃに接触した状態で、ベルトユニット６の一部と接触することにより、開位置に位置する。また、シャッタ４９は、ドラムユニット３がベルトユニット６から離間した状態で、ベルトユニット６の一部との接触が解除されることにより、閉位置に位置する。ベルトユニット６の一部は、具体的には、後述する接触面６０である。シャッタ４９は、接触面６０に接触するための突起４９Ａを備える。突起４９Ａは、シャッタ４９から延びる。
【００６８】
２．２  ベルトユニットの詳細
図５に示すように、ベルトユニット６は、メインフレーム６１と、サブフレーム６２と、第２ハンドル６３と、ベルトトナー搬送管６４（図６参照）と、接触面６０とを備える。
【００６９】
２．２．１  メインフレーム
図３Ａおよび図５に示すように、メインフレーム６１は、上記した駆動ローラ１９、および、複数の一次転写ローラ２１Ｋ、２１Ｙ、２１Ｍ、２１Ｃを支持する。また、メインフレーム６１は、第１壁６５と、第２壁６６と、係合部６７Ａと、係合部６７Ｂと、上記した第１用紙ガイド１１とを備える。
【００７０】
第１壁６５は、図３Ａに示すように、軸線方向において、第１サイドフレーム３１と第２サイドフレーム３２との間に位置する。第１壁６５は、図５に示すように、第１方向に延びる。第１壁６５は、平板形状を有する。第１壁６５は、第１長穴６５Ａと、第２長穴６５Ｂとを有する。第１長穴６５Ａおよび第２長穴６５Ｂは、第１方向に延びる。第１長穴６５Ａには、後述するサブフレーム６２の第１ボス６９が嵌まる。第２長穴６５Ｂには、後述するサブフレーム６２の第２ボス７０が嵌まる。これにより、メインフレーム６１は、サブフレーム６２を第１方向に移動可能に支持する。
【００７１】
第２壁６６は、図３Ａに示すように、軸線方向において、第１壁６５と第２サイドフレーム３２との間に位置する。第２壁６６は、軸線方向において、第１壁６５に対して間隔を隔てて位置する。第２壁６６は、軸線方向において、複数の一次転写ローラ２１Ｋ、２１Ｙ、２１Ｍ、２１Ｃに対して第１壁６５の反対側に位置する。なお、第２壁６６は、軸線方向において、駆動ローラ１９に対して第１壁６５の反対側に位置する。第２壁６６は、第１方向に延びる。第２壁６６は、平板形状を有する。なお、第２壁６６は、少なくとも、第１長穴６５Ａと同じ形状の図示しない第３長穴を有する。第２壁６６は、第２長穴６５Ｂと同じ形状の図示しない第４長穴を有してもよい。
【００７２】
係合部６７Ａは、図３Ａに示すように、ドラムユニット３がベルトユニット６の上方に位置し、転写ベルト１８が複数の感光ドラム１３Ｋ、１３Ｙ、１３Ｍ、１３Ｃに接触した状態で、複数のレバー３３Ａが係合位置に位置したときに、複数のレバー３３Ａと係合する。係合部６７Ａは、軸線方向において、第１壁６５に対して、第２壁６６の反対側に位置する。係合部６７Ａは、第１壁６５から軸線方向に突出する。図５に示すように、係合部６７Ａは、第１方向に延びる。係合部６７Ａは、複数の凹部７２を有する。
【００７３】
複数の凹部７２は、複数のレバー３３Ａと同じ数、設けられている。複数の凹部７２は、第１方向において、互いに間隔を隔てて並ぶ。図３Ａに示すように、１つの凹部７２には、１つのレバー３３Ａの突起３８が嵌まる。複数の凹部７２は、軸線方向において、係合部６７Ａの先端に位置する。複数の凹部７２のそれぞれは、軸線方向において、係合部６７Ａの先端から第１壁６５に向かって凹む。
【００７４】
係合部６７Ｂは、図３Ａに示すように、ドラムユニット３がベルトユニット６の上方に位置し、転写ベルト１８が複数の感光ドラム１３Ｋ、１３Ｙ、１３Ｍ、１３Ｃに接触した状態で、複数のレバー３３Ｂが係合位置に位置したときに、複数のレバー３３Ｂと係合する。係合部６７Ｂは、軸線方向において、第２壁６６に対して、第１壁６５の反対側に位置する。係合部６７Ｂは、第２壁６６から軸線方向に突出する。係合部６７Ｂは、第１方向に延びる。係合部６７Ｂは、複数の凹部７３を有する。
【００７５】
複数の凹部７３は、複数のレバー３３Ｂと同じ数、設けられている。複数の凹部７３は、第１方向において、互いに間隔を隔てて並ぶ。１つの凹部７３には、１つのレバー３３Ｂの突起３８が嵌まる。複数の凹部７３は、軸線方向において、係合部６７Ｂの先端に位置する。複数の凹部７３のそれぞれは、軸線方向において、係合部６７Ｂの先端から第２壁６６に向かって凹む。
【００７６】
第１用紙ガイド１１は、図３Ａに示すように、メインフレーム６１の下端部に位置する。第１用紙ガイド１１は、軸線方向において、第１壁６５と第２壁６６との間に位置する。第１用紙ガイド１１は、軸線方向および第１方向の両方に延びる。第１用紙ガイド１１は、平板形状を有する。第１用紙ガイド１１は、軸線方向において、一端部と、一端部から離れて位置する他端部とを有する。第１用紙ガイド１１の一端部は、第１壁６５に接続する。第１用紙ガイド１１の他端部は、第２壁６６に接続する。これにより、第１用紙ガイド１１は、ベルトユニット６が収容位置と引出位置との間を移動するときに、転写ベルト１８とともに移動可能である。
【００７７】
２．２．２  サブフレーム
図５に示すように、サブフレーム６２は、メインフレーム６１に対して移動可能である。サブフレーム６２は、内部にベルトクリーナー２２（図１参照）を有する。すなわち、サブフレーム６２は、ベルトクリーニングブレード２８とオーガスクリュー２９とを支持する。サブフレーム６２は、軸線方向において、第１壁６５と第２壁６６との間に位置する。サブフレーム６２は、軸線方向に延びる。サブフレーム６２は、軸線方向において、一端部６２Ａと、一端部６２Ａとは反対側の図示しない他端部とを有する。サブフレーム６２は、第１ボス６９と、第２ボス７０と、トナー排出部６８と、突起７１とを備える。
【００７８】
第１ボス６９は、サブフレーム６２の一端部６２Ａから突出する。第１ボス６９は、軸線方向に延びる。第１ボス６９は、円筒形状を有する。第１ボス６９には、従動ローラ２０のシャフト２０Ａの一端部が嵌まる。なお、サブフレーム６２の図示しない他端部には、第１ボス６９と同じ構造を有する図示しない第３ボスが設けられている。図示しない第３ボスには、従動ローラ２０のシャフト２０Ａの他端部が嵌まる。第１ボス６９および図示しない第３ボスにシャフト２０Ａが嵌まることにより、サブフレーム６２は、上記した従動ローラ２０を支持する。また、第１ボス６９は、第１壁６５の第１長穴６５Ａに嵌まる。図示しない第３ボスは、第２壁６６の図示しない第３長穴に嵌まる。第１ボス６９が第１長穴６５Ａに嵌り、図示しない第３ボスが図示しない第３長穴に嵌まることにより、サブフレーム６２は、メインフレーム６１に対して第１方向において移動可能である。また、第１ボス６９は、バネ７４によって、第１方向において、駆動ローラ１９から離れる方向へ押圧される。また、図示しない第３ボスは、図示しないバネによって、第１方向において、駆動ローラ１９から離れる方向へ押圧される。これにより、従動ローラ２０は、第１方向において、駆動ローラ１９から離れる方向へ押圧される。これにより、転写ベルト１８には、所定の張力が、付与される。
【００７９】
第２ボス７０は、サブフレーム６２の一端部６２Ａから突出する。第２ボス７０は、第１ボス６９に対して間隔を隔てて位置する。第２ボス７０は、軸線方向に延びる。第２ボス７０は、円柱形状を有する。第２ボス７０は、第１壁６５の第２長穴６５Ｂに嵌まる。これにより、サブフレーム６２が第１ボス６９について回転することを防止する。これにより、ベルトクリーニングブレード２８（図１参照）を転写ベルト１８に確実に接触させることができる。なお、第２壁６６が図示しない第４長穴を有する場合、サブフレーム６２の他端部に、第２ボス７０と同じ構造を有する図示しない第４ボスが設けられ、第４ボスが第４長穴に嵌まってもよい。
【００８０】
トナー排出部６８は、ベルトクリーニングブレード２８によって除去されたトナーを排出する。トナー排出部６８は、サブフレーム６２の一端部６２Ａから突出する。トナー排出部６８は、軸線方向に延びる。トナー排出部６８は、円筒形状を有する。トナー排出部６８内には、オーガスクリュー２９が位置する。トナー排出部６８は、図６に示すように、開口６８Ａを有する。開口６８Ａは、オーガスクリュー２９によって搬送されたトナーを排出する。
【００８１】
突起７１は、図８に示すように、ベルトユニット６が収容位置に位置するときに、転写ローラ７のシャフト７Ａに接触する。突起７１は、サブフレーム６２から下方へ突出する。突起７１は、上下方向に延びる。
【００８２】
２．２．３  第２ハンドル
図１０に示すように、第２ハンドル６３は、ベルトユニット６を収容位置から引出位置に向けて移動させるためのハンドルである。ベルトユニット６は、図５に示すように、ドラムユニット３の引出方向において、上流側に位置する一端部６Ａと、下流側に位置する他端部６Ｂとを有する。第２ハンドル６３は、他端部６Ｂに位置する。第２ハンドル６３は、フロントカバー２Ｂが開位置に位置したときに、開口２Ａから露出する。ベルトユニット６は、ドラムユニット３がベルトユニット６の上方に位置し、転写ベルト１８が複数の感光ドラム１３Ｋ、１３Ｙ、１３Ｍ、１３Ｃに接触した状態で、第２ハンドル６３によってドラムユニット３とともに移動可能である。
【００８３】
２．２．４  ベルトトナー搬送管
図６に示すように、ベルトトナー搬送管６４は、メインフレーム６１の第１壁６５に取り付けられている。これにより、メインフレーム６１は、ベルトトナー搬送管６４を支持する。ベルトトナー搬送管６４は、第１方向に延びる。ベルトトナー搬送管６４は、ベルトクリーニングブレード２８（図１参照）によって除去されたトナーを受け入れるように構成される。また、ベルトトナー搬送管６４は、トナー搬送管５０（図２Ａ参照）によって搬送されたトナーも受け入れるように構成される。ベルトトナー搬送管６４は、第１トナー受入開口６４Ａと、第２トナー受入開口６４Ｂと、第２トナー排出開口６４Ｃとを有する。
【００８４】
第１トナー受入開口６４Ａは、ドラムユニット３が収容位置に位置し、かつ、ベルトユニット６が収容位置に位置する状態で、トナー搬送管５０の第１トナー排出開口５０Ａと連通する。これにより、第１トナー受入開口６４Ａは、ドラムユニット３が収容位置に位置し、かつ、ベルトユニット６が収容位置に位置する状態で、トナー搬送管５０によって搬送されたトナーを受け入れ可能である。
【００８５】
第２トナー受入開口６４Ｂは、サブフレーム６２の開口６８Ａと連通する。これにより、第２トナー受入開口６４Ｂは、ベルトクリーニングブレード２８によって除去されたトナーを受け入れ可能である。第２トナー受入開口６４Ｂは、第１方向において、第１トナー受入開口６４Ａと間隔を隔てて位置する。
【００８６】
第２トナー排出開口６４Ｃは、ベルトトナー搬送管６４内のトナーを排出するための開口である。第２トナー排出開口６４Ｃは、ベルトユニット６が収容位置に位置する状態で、廃トナーボックス２５と連通する。詳しくは、第２トナー排出開口６４Ｃは、図６および図７に示すように、ベルトユニット６が収容位置に位置する状態で、本体トナー搬送管１１０を介して、廃トナーボックス２５と連通する。これにより、第２トナー排出開口６４Ｃから排出されたトナーは、本体トナー搬送管１１０を介して、廃トナーボックス２５に収容される。
【００８７】
２．２．５  接触面
図２Ｃに示すように、接触面６０は、ドラムユニット３とベルトユニット６とが連結された状態で、シャッタ４９の突起４９Ａと接触し、シャッタ４９を開位置に位置させる。接触面６０は、ベルトユニット６が収容位置に位置する状態でドラムユニット３が引出位置から収容位置に移動するときに、シャッタ４９と接触し、シャッタ４９を閉位置から開位置に移動させる。また、接触面６０は、ベルトユニット６が、ドラムユニット３とともに、収容位置から引出位置に向けて移動するとき、シャッタ４９が開位置に位置するようにシャッタ４９との接触を維持する。接触面６０は、図５に示すように、メインフレーム６１の一部である。詳しくは、接触面６０は、メインフレーム６１の第１壁６５の一部である。接触面６０は、第１壁６５の上端部に設けられる。
【００８８】
２．３  転写ローラ支持部材
図８に示すように、本体ケーシング２は、転写ローラ７を支持する転写ローラ支持部材８０を備える。転写ローラ支持部材８０は、軸線方向に延びる回動軸８３について回動可能である。転写ローラ支持部材８０は、第２用紙ガイド１０の一部を構成する第３用紙ガイド８１と、転写ローラ７を支持するアーム８２と、第１バネ８４と、第２バネ８５とを備える。
【００８９】
第３用紙ガイド８１は、複数の用紙搬送ローラ２３（図１参照）および複数の用紙搬送ローラ２４（図１参照）によって搬送された用紙を、転写ベルト１８と転写ローラ７との間に案内するように構成される。
【００９０】
アーム８２は、第３用紙ガイド８１から転写ローラ７に向かって延びる。アーム８２は、第１方向に延びる長穴８２Ａを有する。長穴８２Ａには、転写ローラ７のシャフト７Ａが挿入される。これにより、転写ローラ７は、アーム８２に回転可能に支持され、かつ、第１方向に移動可能である。
【００９１】
第１バネ８４は、転写ローラ７のシャフト７Ａを、ドラムユニット３の引出方向へ押圧する。第１バネ８４は、長穴８２Ａ内に位置する。第１バネ８４は、シャフト７Ａに接触する。
【００９２】
第２バネ８５は、アーム８２を上方へ押圧する。これにより、ベルトユニット６が収容位置に位置するときに、転写ローラ７は、転写ベルト１８に向かって押圧される。すなわち、転写ローラ７は、鉛直方向において転写ベルト１８に付勢される。第２バネ８５は、アーム８２の下方に位置する。第２バネ８５は、アーム８２に接触する。
【００９３】
そして、ベルトユニット６が収容位置に位置するとき、サブフレーム６２の突起７１は、第１方向において、シャフト７Ａに対して第１バネ８４の反対側に位置する。突起７１は、シャフト７Ａに接触する。これにより、サブフレーム６２が第１方向において駆動ローラ１９から離れる方向に移動した場合には、突起７１がシャフト７Ａを押圧することにより、転写ローラ７は、第１バネ８４の押圧力に抗して、第１方向において駆動ローラ１９から離れる方向へ向かって、サブフレーム６２とともに移動する。また、サブフレーム６２が第１方向において駆動ローラ１９に近づく方向に移動した場合には、第１バネ８４がシャフト７Ａを押圧することにより、転写ローラ７は、第１方向において駆動ローラ１９に近づく方向へ向かって、サブフレーム６２とともに移動する。このように、転写ローラ７は、第１方向においてサブフレーム６２とともに移動可能である。これにより、従動ローラ２０が駆動ローラ１９に対して移動可能な構成において、従動ローラ２０に対する転写ローラ７の相対配置を維持することができる。
【００９４】
３．ドラムユニット３の引出動作
ベルトユニット６が収容位置に位置した状態で、ドラムユニット３を収容位置から引出位置へ移動させる引出動作について説明する。
【００９５】
図９に示すように、ベルトユニット６が収容位置に位置した状態で、ドラムユニット３を収容位置から引出位置へ移動させるには、ユーザーは、第２ハンドル６３を把持しないで、第１ハンドル３６を把持し、図４Ｂに示すように、第１グリップ４１を第１位置から第２位置へ移動させる。
【００９６】
すると、第１グリップ４１の移動に伴って、カム３４Ａおよびカム３４Ｂが、押圧解除位置から押圧位置へ移動する。
【００９７】
すると、複数のレバー３３Ａが、カム３４Ａのカム面４０Ａによって押圧され、係合位置から非係合位置に移動する。また、複数のレバー３３Ｂが、カム３４Ｂのカム面４０Ｂによって押圧され、係合位置から非係合位置に移動する。
【００９８】
これにより、図３Ｂに示すように、複数のレバー３３Ａ、３３Ｂは、ベルトユニット６との係合が解除される。
【００９９】
その後、ユーザーが、第１グリップ４１を第２位置に位置させた状態で、第１ハンドル３６を引っ張ると、図９に示すように、ベルトユニット６が収容位置に位置した状態で、ドラムユニット３が収容位置から引出位置へ移動する。
【０１００】
４．ベルトユニット６の引出動作
ベルトユニット６とドラムユニット３とを一体的に本体ケーシング２から引き出す引出動作について説明する。
【０１０１】
図１０に示すように、ドラムユニット３とベルトユニット６とが連結された状態で、収容位置に位置するドラムユニット３、および、収容位置に位置するベルトユニット６を本体ケーシング２から引き出すには、ユーザーは、第１ハンドル３６を把持しないで、第２ハンドル６３を引っ張る。
【０１０２】
このとき、図３Ａに示すように、第１グリップ４１が第１位置に位置していることにより、複数のレバー３３Ａ、３３Ｂは、ドラムユニット３とベルトユニット６とを連結している。すなわち、複数のレバー３３Ａ、３３Ｂは、ドラムユニット３が収容位置から引出位置に移動するときに、ドラムユニット３とベルトユニット６とを連結する。
【０１０３】
これにより、ベルトユニット６は、複数のレバー３３Ａ、３３Ｂが係合位置に位置する状態で、図１０に示すように、ドラムユニット３とともに収容位置から引出位置に向けて移動する。
【０１０４】
また、このとき、第１用紙ガイド１１は、転写ベルト１８とともに、本体ケーシング２の外へ引き出される。これにより、第１用紙ガイド１１は、ドラムユニット３が収容位置から引出位置に移動するとともにベルトユニット６が収容位置から引出位置に向けて移動するときに、用紙搬送パスＰが本体ケーシング２の開口２Ａに向けて露出されるように、第２用紙ガイド１０から遠ざかる。
【０１０５】
５．作用効果
この画像形成装置１によれば、図１０に示すように、ドラムユニット３を収容位置から引出位置へ移動させる動作で、ドラムユニット３とともに、第１用紙ガイド１１を有するベルトユニット６を本体ケーシング２から引き出すことができる。
【０１０６】
そのため、用紙搬送パスＰ内に用紙が詰まった場合に、ドラムユニット３を収容位置から引出位置へ移動させる引き出し動作で、円滑に用紙搬送パスＰを開放し、詰まった用紙を取り除くことができる。
【０１０７】
７．画像形成装置のさらなる詳細
上記した画像形成装置１は、図１１に示すように、さらに、第２給紙トレイ１０１と、第２給紙ローラ１０２と、第２排紙トレイ１０３と、センサ１０４とを備える。
【０１０８】
第２給紙トレイ１０１は、フロントカバー２Ｂに取り付けられている。第２給紙トレイ１０１は、フロントカバー２Ｂの開口１００を閉鎖する閉位置（図１参照）と、開口１００を開放する開位置（図１１参照）との間を移動可能である。第２給紙トレイ１０１は、開位置に位置した状態で、用紙を載せることができる。第２給紙トレイ１０１は、開位置に位置した状態で、第１方向において、第１用紙ガイド１１に対して、定着器８の反対側に位置する。第２給紙トレイ１０１は、開位置に位置した状態で第１方向に延びる。
【０１０９】
第２給紙ローラ１０２は、第２給紙トレイ１０１に載せられた用紙を、第１用紙ガイド１１と第２用紙ガイド１０との間に向けて搬送するように構成される。第２給紙ローラ１０２は、第１方向において、第２給紙トレイ１０１と第１用紙ガイド１１との間に位置する。
【０１１０】
第２排紙トレイ１０３は、定着器８を通過した用紙を載せるためのトレイであって、定着器８を通過した用紙がカールすることを抑制しつつ排紙するためのトレイである。第２排紙トレイ１０３は、第１方向において、定着器８に対して、転写ローラ７の反対側に位置する。第２排紙トレイ１０３は、本体ケーシング２の第２開口２Ｃを開放する開位置と、第２開口２Ｃを閉鎖する閉位置との間を移動可能である。第２排紙トレイ１０３は、開位置に位置した状態で、第１方向に延びる。詳しくは、第２排紙トレイ１０３は、開位置に位置した状態で、定着器８を通過する用紙の通過方向に沿って延びる。
【０１１１】
センサ１０４は、転写ベルト１８の表面を検査するように構成される。センサ１０４は、駆動ローラ１９の下方に位置する。センサ１０４は、転写ベルト１８の表面に向かい合う。センサ１０４は、軸線方向において、第２給紙ローラ１０２と並ぶ。
【０１１２】
センサ１０４は、色ずれの修正や色補正などに使用されるが、用紙搬送のタイミングを調整することに用いることもできる。
【０１１３】
転写ベルト１８の表面に形成されたトナー像の先端部やマーキングなどを計測することにより、複数の用紙搬送ローラ２３、２４の搬送タイミングを調整し、用紙上に形成する画像の位置を正確に位置決めすることが可能となる。
【０１１４】
より詳細には、複数の用紙搬送ローラ２３、２４の最も転写ローラ７側に近い位置にある用紙搬送ローラ２３、２４をレジストローラ対として機能させることにより、センサ１０４からの信号にタイミングを合わせて、用紙を転写ローラ７と転写ベルト１８の間に送り込むことが可能となる。
【０１１５】
このとき、転写ベルト１８の下側の面、つまり、複数の感光ドラム１３Ｋ、１３Ｙ、１３Ｍ、１３Ｃと接していない側の面は、第１用紙ガイド１１と第２用紙ガイド１０で構成される用紙搬送パスＰに搬送される用紙と同様に、転写ベルト１８と転写ローラ７の間に向かって第１方向に移動する。
【０１１６】
また、転写ローラ７は転写ベルト１８の下側の面に下方から接触しているため、用紙と転写ベルト１８は、共に、ほぼ第１方向に沿って、曲ることなく転写ベルト１８と転写ローラ７の間に向かって移動することになる。
【０１１７】
したがって、従動ローラ２０と転写ローラ７が第１方向に移動したとしても、複数の用紙搬送ローラ２３、２４の最も転写ローラ７側に近い位置にある用紙搬送ローラ２３、２４から転写ベルト１８と転写ローラ７の間への距離の変動量と、センサ１０４が面する転写ベルト１８上の位置から転写ベルト１８と転写ローラ７の間への距離の変動量はほぼ等しくなり、用紙に形成される画像の位置ずれが発生することを低減することができる。
【０１１８】
８．変形例
支持部材は、図１２に示すように、複数の感光ドラム１３Ｋ、１３Ｙ、１３Ｍ、１３Ｃを備えないフレーム１０６であってもよい。フレーム１０６は、複数のプロセスカートリッジ１０５Ｋ、１０５Ｙ、１０５Ｍ、１０５Ｃを、着脱可能に支持してもよい。複数のプロセスカートリッジ１０５Ｋ、１０５Ｙ、１０５Ｍ、１０５Ｃは、それぞれ、同じ構造を有する。そのため、以下の説明において、プロセスカートリッジ１０５Ｋについて説明し、プロセスカートリッジ１０５Ｙ、１０５Ｍ、１０５Ｃについては、説明を省略する。プロセスカートリッジ１０５Ｋは、感光ドラム１３Ｋを備えるドラムカートリッジと、ドラムカートリッジに対して着脱可能な現像カートリッジ４Ｋとを備えてもよい。
【０１１９】
また、コネクタは、ドラムユニット３とベルトユニット６とを連結することができれば、複数のレバー３３Ａ、および、複数のレバー３３Ｂに限らず、例えば、マグネットなどであってもよい。
【０１２０】
また、リンクは、複数のレバー３３Ａ、および、複数のレバー３３Ｂを移動させることができれば、カム３４Ａおよびカム３４Ｂに限らず、例えば、平行リンク機構などであってもよい。
【０１２１】
また、ドラムユニット３は、ドラムユニット３が本体ケーシング２に対して装着される装着位置と、ドラムユニット３が本体ケーシング２から離脱される離脱位置との間を移動可能な構成であってもよい。すなわち、ドラムユニット３は、収容位置と引出位置との間を移動可能であり、さらに、引出位置から離脱位置に移動可能な構成であってもよい。この場合、ドラムユニット３の収容位置および引出位置が装着位置の一例である。
【０１２２】
また、ベルトユニット６は、ベルトユニット６が本体ケーシング２に対して装着される装着位置と、ベルトユニット６が本体ケーシング２から離脱される離脱位置との間を移動可能な構成であってもよい。すなわち、ベルトユニット６は、収容位置と引出位置との間を移動可能であり、さらに、引出位置から離脱位置に移動可能な構成であってもよい。この場合、ベルトユニット６の収容位置および引出位置が装着位置の一例である。
【符号の説明】
【０１２３】
１      画像形成装置
２      本体ケーシング
２Ａ    開口
３      ドラムユニット
６      ベルトユニット
７      転写ローラ
１０    第２用紙ガイド
１１    第１用紙ガイド
１３Ｋ  感光ドラム
１８    転写ベルト
１９    駆動ローラ
２０    従動ローラ
２５    廃トナーボックス
２６    クリーニングブレード
２８    ベルトクリーニングブレード
２９    オーガスクリュー
３１    第１サイドフレーム
３１Ａ  第１面
３１Ｂ  第２面
３２    第２サイドフレーム
３３Ａ  レバー
３３Ｂ  レバー
３４Ａ  カム
３４Ｂ  カム
３５    バネ
３６    第１ハンドル
４０Ａ  カム面
４０Ｂ  カム面
４１    第１グリップ
４２    第２グリップ
４９    シャッタ
５０    トナー搬送管
５０Ａ  第１トナー排出開口
６０    接触面
６１    メインフレーム
６２    サブフレーム
６３    第２ハンドル
６４    ベルトトナー搬送管
６４Ａ  第１トナー受入開口
６４Ｃ  第２トナー排出開口
１０６  フレーム
Ｐ      用紙搬送パス
【図１】
2018141921.tif 000003
【図２】
2018141921.tif 000004
【図３】
2018141921.tif 000005
【図４】
2018141921.tif 000006
【図５】
2018141921.tif 000007
【図６】
2018141921.tif 000008
【図７】
2018141921.tif 000009
【図８】
2018141921.tif 000010
【図９】
2018141921.tif 000011
【図１０】
2018141921.tif 000012
【図１１】
2018141921.tif 000013
【図１２】
2018141921.tif 000014